(57)【要約】【課題】通気性の良いインナーウエアを提供することを課題とする。【解決手段】本発明は、内側が透視できる本体生地と、本体生地と重なった位置で該本体生地に取り付けられ且つ内側が透視できない第一生地と、を備え、第一生地の面積が本体生地の面積より小さいことを特徴とする。【選択図】図３
2020007651.tif 000002
【特許請求の範囲】
【請求項１】
内側が透視できる本体生地と、
前記本体生地と重なる位置に配置され且つ内側が透視できない第一生地と、を備え、
前記第一生地の面積は、前記本体生地の面積より小さい、インナーウエア。
【請求項２】
前記第一生地と重なる位置に配置された状態で該第一生地に取り付けられる第二生地を備え、
前記第二生地は、前記第一生地との間にパッド収容部を形成する、請求項１に記載のインナーウエア。
【請求項３】
前記第一生地と前記第二生地とは、前記本体生地の内側に配置され、接着によって互いに接合されている、請求項２に記載のインナーウエア。
【発明の詳細な説明】
【技術分野】
【０００１】
本発明は、インナーウエアに関する。
【背景技術】
【０００２】
従来から、レース生地を備えるインナーウエアが知られている（特許文献１参照）。このようなレース生地を備えるインナーウエアでは、内側が透けて見えるのを防ぐため、レース生地の内側に裏打ち布が裏打ちされている。
【０００３】
具体的に、インナーウエアは、前身頃と後身頃とを備えている。図１４に示すように、前身頃５０１は、レース生地５０２と、該レース生地５０２と重なる透視防止用生地５０３と、を有する。この透視防止用生地５０３は、内側が透けて見えないようにレース生地５０２より編目や織目等の小さな生地であり、前身頃５０１においてレース生地５０２より大きい（面積が大きい）。
【先行技術文献】
【特許文献】
【０００４】
【特許文献１】特許第４０３１１８６号公報
【発明の概要】
【発明が解決しようとする課題】
【０００５】
以上のインナーウエア５００では、通気性の良い生地（レース生地５０２）を用いているが、レース生地５０２より編目や織目等の小さな生地（透視防止用生地５０３）がレース生地５０２より大きいため、通気性が悪かった。
【０００６】
そこで、本実施形態は、通気性の良いインナーウエアを提供することを目的とする。
【課題を解決するための手段】
【０００７】
本発明に係るインナーウエアは、
内側が透視できる本体生地と、
前記本体生地と重なる位置に配置され且つ内側が透視できない第一生地と、を備え、
前記第一生地の面積は、前記本体生地の面積より小さい。
【０００８】
このように、内側が透視できるような編目や織目等の大きな本体生地と重なる位置に配置された第一生地が該本体生地より小さい（面積が小さい）ことで、本体生地において内側を透視させたくない部位（範囲）を第一生地によって隠しつつ、通気性を確保することもできる。尚、本発明において内側が透視できる生地とは、該生地で構成されるインナーウエアの着用時に着用者の肌等が外側から見えるような生地であり、内側が透視できない生地とは、該生地で構成されるインナーウエアの着用時に着用者の肌等が外側から見えないような生地である。
【０００９】
前記インナーウエアは、
前記第一生地と重なる位置に配置された状態で該第一生地に取り付けられる第二生地を備え、
前記第二生地は、前記第一生地との間にパッド収容部を形成してもよい。
【００１０】
かかる構成によれば、第一生地と第二生地との間に形成されたパッド収容部にパッド（例えば、ブラパッドや吸収パッド）を収容することができる。
【００１１】
また、前記インナーウエアでは、
前記第一生地と前記第二生地とは、前記本体生地の内側に配置され、接着によって互いに接合されてもよい。
【００１２】
このように、本体生地の内側（着用時に身体に近い側）に配置される第一生地と第二生地とを接着によって接合することで、第一生地と第二生地との接合箇所に縫い目が生じず、これにより、縫い目（詳しくは、縫合によって周囲より固くなっている部位）が肌に当たったり擦れたりすることによる不快感が生じない。
【発明の効果】
【００１３】
以上より、本発明によれば、通気性の良いインナーウエアを提供することができる。
【図面の簡単な説明】
【００１４】
【図１】図１は、第一実施形態に係るインナーウエアの正面図である。
【図２】図２は、前記インナーウエアの背面図である。
【図３】図３は、内布、当布、及びパッドが配置された状態の前面部を内側から見た図である。
【図４】図４は、図３のＩＶ−ＩＶ位置における断面図である。
【図５】図５は、前記前面部、前記内布、及び前記当布が分解された状態の図である。
【図６】図６は、第二実施形態に係るインナーウエアの正面図である。
【図７】図７は、前記インナーウエアの背面図である。
【図８】図８は、内布、当布、及びパッドが配置された状態の前面部を内側から見た図である。
【図９】図９は、図８のＩＸ−ＩＸ位置における断面図である。
【図１０】図１０は、前記前面部、前記内布、及び前記当布が分解された状態の図である。
【図１１】図１１は、第三実施形態に係るインナーウエアの正面図である。
【図１２】図１２は、前記インナーウエアの展開図である。
【図１３】図１３は、図１２のＸＩＩＩ−ＸＩＩＩ位置における断面図である。
【図１４】図１４は、従来のインナーウエアの正面図である。
【発明を実施するための形態】
【００１５】
以下、本発明の第一実施形態について、図１〜図５を参照しつつ説明する。
【００１６】
本実施形態のインナーウエアは、図１及び図２に示すような、いわゆるハーフトップである。このインナーウエア１は、図３〜図５にも示すように、身体を覆う身頃部（本体生地）２と、身頃部２の内側に配置される内布（第一生地）３と、内布３に取り付けられる当布（第二生地）４と、を備える。また、本実施形態のインナーウエア１は、内布３と当布４との間に配置されるパッド５も備える。
【００１７】
身頃部２は、身体の前面を覆う前面部２１と、身体の背面を覆う背面部２２と、を有する。これら前面部２１と背面部２２とは、両肩部Ａ及び両脇下部Ｂにおいて互いに接合されている。この身頃部２は、例えば、レース生地やメッシュ生地のような、内側を透視できる生地（即ち、着用時に着用者の肌等が外側から見えるような編目や織目等の大きな生地）によって構成されている。この生地は、伸縮性を有する。本実施形態の身頃部２における襟ぐり２３、袖ぐり２４、及び下端開口縁２５（即ち、身頃部２の各端縁）は、端始末されていない切断端である。本実施形態において、切断端とは、生地を切断したままの端縁のことをいう。また、端始末とは、切断端を折り返して縫着したり、テープ等の別布で端部を包んで縫着したりして生地の切断端縁がほつれないようにする処理をいう。即ち、端始末されていない切断端とは、前記のような端始末をせずに切断したままの生地の端縁をいう。
【００１８】
本実施形態の身頃部２を構成する生地は、例えば、熱融着繊維を他の繊維と共に編み込み、ヒートセット加工（熱セット加工）を施したものである。かかる生地では、所定形状に裁断後、フチ縫い等の端部処理が施されなくても、ほつれが生じない。
【００１９】
具体的に、前記生地は、ポリウレタン弾性繊維等の比較的低融点の熱融着性繊維と、該熱融着性繊維よりも高融点の他の繊維、例えば、綿、ポリエステル、ナイロン、ポリエチレン、キュプラ等とを含み、予め、熱融着性繊維の融点以上の温度で且つ前記他の繊維の融点以下の温度でヒートセット加工（熱セット加工）されて、解れ止め処理されたものである。
【００２０】
前面部２１は、着用時に上半身の前面を覆う部位である。この前面部２１は、着用時に着用者の肩に配置される両肩部Ａ１の内側（身幅方向（図１における左右方向）の内側）に、Ｕ字状の端縁２３ａを有する。この端縁２３ａは、インナーウエア１の襟ぐり２３の一部（前面側の襟ぐり）を構成する。また、前面部２１は、各肩部Ａ１の身幅方向の外側のそれぞれに、湾曲形状の端縁２４ａを有する。この端縁２４ａは、インナーウエア１の袖ぐり２４の一部（前面側の袖ぐり）を構成する。前面部２１の下端縁２５ａでは、下方に凸となる複数の円弧状の部位が身幅方向に沿って連なっている。
【００２１】
背面部２２は、着用時に上半身の背面を覆う部位である。この背面部２２は、着用時に着用者の肩に配置される両肩部Ａ２の身幅方向の内側に、Ｕ字状の端縁２３ｂを有する。この端縁２３ｂは、インナーウエア１の襟ぐり２３の一部（背面側の襟ぐり）を構成する。また、背面部２２は、各肩部Ａ２の外側のそれぞれに、湾曲形状の端縁２４ｂを有する。この端縁２４ｂは、インナーウエア１の袖ぐり２４の一部（背面側の袖ぐり）を構成する。背面部２２の下端縁２５ｂでは、下方に凸となる複数の円弧状の部位が身幅方向に対して上方に凸となる円弧に沿って連なっている。
【００２２】
以上のように構成される前面部２１と背面部２２とは、両肩部Ａ及び両脇下部Ｂにおいて縫合によって接合（縫着）される。詳しくは、前面部２１と背面部２２との対応する肩部Ａ１、Ａ２同士が縫着されて身頃部２の各肩部Ａを構成し、前面部２１と背面部２２との対応する脇下部Ｂ１、Ｂ２同士が縫着されて身頃部２の各脇下部Ｂを構成する。この前面部２１と背面部２２との接合により、前面部２１のＵ字状の端縁２３ａと背面部２２のＵ字状の端縁２３ｂとによって身頃部２の襟ぐり２３が構成され、前面部２１の湾曲形状の端縁２４ａと背面部２２の湾曲形状の端縁２４ｂとによって身頃部２の袖ぐり２４が構成される。また、前面部２１の下端縁２５ａと背面部２２の下端縁２５ｂとによって、身頃部２の下端開口縁２５が構成される。この下端開口縁２５は、着用時に着用者の胴囲に沿って配置される部位である。
【００２３】
前面部２１の肩部Ａ１と背面部２２の肩部Ａ２とが縫着された部位（縫合部）２６は、着用者の首から肩に向かう方向に線状に延びている（図１参照）。また、前面部２１の脇下部Ｂ１と背面部２２の脇下部Ｂ２とが縫着された部位（縫合部）２７は、着用者の背面側の身幅方向の端部において脇から腰に向かう方向に沿って延びている（図２参照）。
【００２４】
内布３は、身頃部２と重なる位置に配置された状態で該身頃部２に取り付けられている。内布３は、内側を透視できない生地（即ち、着用時に着用者の肌等が外側から見えないような編目や織目等の小さな生地）によって構成されている。内布３の面積は、身頃部２の面積より小さい。本実施形態の内布３は、身頃部２の内側（着用時に身体に近い側）に配置されている。また、内布３は、胴回り方向において、前面部２１と重なる範囲に配置され、前面部２１と背面部２２との縫合部２７を除いて背面部２２と重なる位置には配置されていない。この内布３の面積は、前面部２１の面積よりも小さい。尚、本実施形態、及び本実施形態以降の実施形態（第二及び第三実施形態等）においてインナーウエア１を構成する各生地（前面部２１、背面部２２、内布３、当布４等のインナーウエア１の構成部材）の面積の大小とは、仮想平面上に前記各生地を広げたときに、該生地の輪郭に囲まれた領域（仮想平面上の閉じた領域）の面積の大小である。換言すると、前記構成部材の型紙の面積の大小である。このため、面積の大きい生地と面積の小さい生地とを重ねると、面積の小さい生地の周縁から、面積の大きい生地の少なくとも一部がはみ出る。
【００２５】
具体的に、内布３は、前面部２１の内側（着衣時に身体に近い側）に配置されており、胸部と対応する位置の胸当部３１と、胸当部３１の上部から延びて前面部２１の両肩部Ａ１に延在する一対のストラップ部３２とを有する。本実施形態の内布３は、一枚の生地によって構成されている。この内布３の周縁は、身頃部２の各端縁２３、２４、２５と同様に、端始末されていない切断端である。即ち、本実施形態の内布３を構成する生地も、身頃部２を構成する生地と同様に、解れ止め処理されたものである。
【００２６】
胸当部３１は、前面部２１に沿って身幅方向に延びている。本実施形態の胸当部３１は、前面部２１の一方の脇下部Ｂ１から他方の脇下部Ｂ１まで該前面部２１に沿って延びている。身幅方向における胸当部３１の各端部は、身頃部２の脇下部Ｂ（縫合部２７）において、前面部２１の脇下部Ｂ１及び背面部２２の脇下部Ｂ２と共に縫合されている。
【００２７】
各ストラップ部３２の上端部は、身頃部２の肩部Ａ（縫合部２６）において、前面部２１の肩部Ａ１及び背面部２２の肩部Ａ２と共に縫合されている。
【００２８】
これら胸当部３１と一対のストラップ部３２とを有する内布３は、前述のように前面部２１より面積が小さいため、身頃部２の各端縁（襟ぐり２３、袖ぐり２４、及び下端開口縁２５）から外側にはみ出ない（突出しない）。即ち、内布３が身頃部２の前面部２１と重なって配置された状態において、縫合部２６、２７において前面部２１及び背面部２２と共に縫合されている部位を除いて、前面部２１の周縁の内側に内布３の周縁が位置するように、内布３が構成されている。
【００２９】
具体的には、各ストラップ部３２の身幅方向の内側の端縁３３ａと、これら内側の端縁を繋ぐ胸当部３１の上部の端縁３３ｂとによって構成されるＵ字状の端縁３３は、前面部２１のＵ字状の端縁２３ａより内側において該端縁２３ａに沿って延びている（図３参照）。
【００３０】
また、ストラップ部３２の身幅方向の外側の端縁３４ａと、この端縁３４ａと繋がる胸当部３１の上部の端縁３４ｂとによって構成される湾曲形状の端縁３４のそれぞれは、前面部２１の湾曲形状の端縁２４ａより内側において該端縁２４ａに沿って延びている（図３参照）。
【００３１】
また、胸当部３１の下端縁３５は、前面部２１の下端縁２５ａより内側において該下端縁２５ａに沿って（複数の円弧状の部位が並ぶ方向に）延びている（図３参照）。尚、本実施形態のインナーウエア１では、胸当部３１の下端縁３５の一部（身幅方向における中央側の部位）は、背面部２２側から見たときに、背面部２２の下端縁２５ｂより下方に位置している（図２参照）。
【００３２】
以上のように構成される内布３は、身幅方向における胸当部３１の両端部及び両ストラップ部３２の上端部以外、身頃部２と接合されていない。即ち、内布３は、身幅方向における胸当部３１の両端部及び両ストラップ部３２の上端部以外、身頃部２（前面部２１）と別々に動くことができる。
【００３３】
当布４は、内布３と重なる位置に配置された状態で該内布３に取り付けられる。この当布４は、内布３との間にパッド収容部４０を形成する（図４参照）。この当布４の輪郭は、パッド収容部４０に収容されるパッド５の輪郭と対応する形状である。当布４の面積は、内布３の面積より小さい。本実施形態の当布４は、内布３の内側（着衣時に身体に近い側）に配置され、内布３と同じ生地によって構成されている。また、当布４の周縁は、身頃部２の各端縁２３、２４、２５や内布３の各端縁３３、３４、３５と同様に、端始末されていない切断端である。
【００３４】
具体的に、当布４は、身幅方向に延び、身幅方向の中央部（着用時に両乳房の間に位置する部位）が上下方向においてくびれ、幅狭となっている。この当布４では、上端縁４１と下端縁４２とが内布３に接合されている。より詳しくは、当布４の周縁において身幅方向の両方の側端縁４３を残して上端縁４１と下端縁４２とが内布３に接合されている。この側端縁４３は、上下方向に対して僅かに傾斜する方向に延びている。本実施形態のインナーウエア１では、当布４の周縁（詳しくは、上端縁４１及び下端縁４２）のみが接着によって内布３に接合されていることで、当布４と内布３との間にパッド５が収容可能な領域（パッド収容部）４０が形成される。
【００３５】
当布４の側端縁４３のそれぞれは、前面部２１と背面部２２との縫合部（線状の縫合部）２７の近傍において該縫合部２７に沿って延びている。この当布４の側端縁４３が内布３に接合されていないことで、この位置に、パッド収容部４０が外部と連通する開口部４５が形成される（図４参照）。本実施形態のインナーウエア１では、この開口部４５からパッド５がパッド収容部４０へ出し入れされる。
【００３６】
以上のように構成される当布４の周縁（上端縁４１、下端縁４２、及び一対の側端縁４３のそれぞれ）は、内布３の各端縁３３、３４、３５の内側に位置する（図３参照）。
【００３７】
パッド５は、いわゆるブラパッドであり、内布３と当布４との間（パッド収容部４０）に取り出し可能に配置されるシート状の部材である。このパッド５は、身幅方向に延び、身幅方向の中央部（着用時に両乳房の間に位置する部位）が上下方向においてくびれ、幅狭となっている。本実施形態のパッド５は、着用時に乳房の上部からアンダーバストの下方を覆う形状であり、パッド収容部４０に全体が収容される大きさである。
【００３８】
パッド５は、生地、綿、スポンジ、不織布等、適度に厚み及び柔軟性を有する素材によって形成されている。適度な厚みを有するとは、乳頭部の形状がインナーウエア１の外側から見えないような程度の厚みであることを意味する。尚、パッド５は、複数のシート材を積層して構成されていてもよい。
【００３９】
以上のインナーウエア１によれば、内側が透視できるような編目や織目等の大きな身頃部（本体生地）２と重なる位置に配置された内布（第一生地）３が該身頃部２より小さい（面積が小さい）。即ち、身頃部２は、内布３によって覆われていない部位を有する。これにより、本実施形態のインナーウエア１では、身頃部２において内側を透視させたくない部位（本実施形態の例では、胸部）を内布３によって隠しつつ、通気性を確保することもできる。
【００４０】
また、本実施形態のインナーウエア１では、当布４が内布３との間にパッド収容部４０を形成し、該パッド収容部４０にパッド５が収容されている。このパッド５は、身幅方向における当布４の各側端縁４３の位置に形成される開口部４５のいずれからも出し入れすることができる。
【００４１】
また、本実施形態のインナーウエア１において、当布４の側端縁４３のそれぞれが、前面部２１と背面部２２との縫合部（線状の縫合部）２７の近傍において該縫合部２７に沿って延び、この側端縁４３に沿って開口部４５が開口している。また、縫合部２７は、複数の生地（前面部２１、背面部２２、及び内布３）を縫い合わせた部位であるため、周囲の部位に比べてコシがある（周囲の部位に比べて固い）。このため、本実施形態のインナーウエア１では、縫合部２７によって開口部４５の開口形状が保たれ、これにより、パッド５をパッド収容部４０に挿入する際に挿入し易い。
【００４２】
また、本実施形態のインナーウエア１では、内布３と当布４とが、身頃部２の内側（着衣時に身体に近い側）に配置され、接着によって互いに接合されている。このように、身頃部２の内側に配置される内布３と当布４とを接着によって接合することで、内布３と当布４との接合箇所に縫い目が生じず、これにより、本実施形態のインナーウエア１では、縫い目（詳しくは、縫合によって周囲より固くなっている部位）が肌に当たったり擦れたりすることによる不快感が生じない。
【００４３】
また、本実施形態のインナーウエア１では、身頃部２の各端縁（襟ぐり２３、袖ぐり２４、下端開口縁２５）が切断端であり、内布３の各端縁３３、３４、３５も切断端である。そして、身頃部２の各端縁２３、２４、２５の内側に、内布３の各端縁３３、３４、３５が位置し、この内布３の各端縁３３、３４、３５の内側に、当布４の各端縁（上端縁４１、下端縁４２、及び側端縁４３）が位置している。このように、内布３と当布４とが接着されることで周囲よりコシがある部位（即ち、当布４の周縁）より外側に内布３の端縁（切断端）３３、３４、３５と、身頃部２の端縁（襟ぐり２３、袖ぐり２４、下端開口縁２５：切断端）とが位置しているため、本実施形態のインナーウエア１では、着用時において、内布３の端縁３３、３４、３５及び身頃部２の各端縁２３、２４、２５が外側にめくれ難くなる。
【００４４】
次に、本発明の第二実施形態について図６〜図１０を参照しつつ説明するが、上記第一実施形態と同様の構成には同一符号を用いて簡単に説明し、異なる構成については詳細に説明する。
【００４５】
本実施形態のインナーウエアは、図６及び図７に示すような、いわゆるキャミソールである。このインナーウエア１は、図８〜図１０にも示すように、身体を覆う身頃部（本体生地）２と、身頃部２の内側に配置されて該身頃部２に取り付けられる内布（第一生地）３と、内布３に取り付けられる当布（第二生地）４と、内布３と当布４との間に配置されるパッド５と、を備える。また、本実施形態のインナーウエア１は、着用時に、肩に配置されて身頃部２を吊り下げる一対のストラップＳを備える。このストラップＳは、長さ調整が可能に構成されている。
【００４６】
身頃部２は、前面部２１と背面部２２とを有する。これら前面部２１と背面部２２とは、両脇下部Ｂにおいて互いに接合されている。この身頃部２は、例えば、レース生地やメッシュ生地のような内側が透視できる（編目や織目等の大きな）生地によって構成されている。本実施形態の身頃部２における上端開口縁２８及び下端開口縁２５は、端始末されていない切断端である。
【００４７】
前面部２１の上端縁は、各ストラップＳとの接続位置２１ａ間において、下方に凸となる円弧状の第一上端縁２８ａと、身幅方向における接続位置２１ａの外側において、僅かに内側に凸となるように湾曲しつつ外側に向かって先下がりに傾斜している第二上端縁２８ｂと、を有する。前面部２１の下端縁２５ａでは、下方に凸となる複数の円弧状の部位が身幅方向に沿って連なっている。
【００４８】
背面部２２の上端縁２８ｃは、一方の第二上端縁２８ｂの下端から他方の第二上端縁２８ｂの下端まで身幅方向に沿って延びている。本実施形態の上端縁２８ｃは、前面部２１の第一上端縁２８ａより下方位置において身幅方向に沿って延びている。背面部２２の下端縁２５ｂでは、前面部２１の下端縁２５ａと同様に、下方に凸となる複数の円弧状の部位が身幅方向に沿って連なっている。
【００４９】
以上の前面部２１と背面部２２とは、両脇下部Ｂにおいて縫着（接合）される。この前面部２１と背面部２２との縫着により、前面部２１の第一上端縁２８ａ及び二つの第二上端縁２８ｂと、背面部２２の上端縁２８ｃとによって、身頃部２の上端開口縁２８が構成される。この上端開口縁２８は、着用時に着用者の胸囲に沿って配置される部位である。また、前面部２１の下端縁２５ａと背面部２２の下端縁２５ｂとによって、身頃部２の下端開口縁２５が構成される。この下端開口縁２５は、着用時に着用者の下半身の位置で周囲を囲む部位である。
【００５０】
前面部２１の脇下部Ｂ１と背面部２２の脇下部Ｂ２とが縫着された部位（縫合部）２７は、着用者の脇から腰に向かう方向に延びている（図７参照）。
【００５１】
内布３は、身頃部２と重なる位置に配置された状態で該身頃部２に取り付けられている。内布３は、内側を透視できない（編目や織目等の小さな）生地によって構成されている。内布３の面積は、身頃部２の面積より小さい。この内布３は、身頃部２の内側（着用時に身体に近い側）に配置されている。本実施形態の内布３は、胴回り方向において、前面部２１と重なる範囲に配置され、前面部２１と背面部２２との縫合部２７を除いて背面部２２と重なる位置には配置されていない。この内布３の面積は、前面部２１の面積よりも小さい。
【００５２】
具体的に、内布３は、胸部と対応する位置において前面部２１に沿って身幅方向に延びている。本実施形態の内布３は、前面部２１の一方の脇下部Ｂ１から他方の脇下部Ｂ１まで該前面部２１に沿って延びている。身幅方向における内布３の各端部は、身頃部２の脇下部Ｂ（縫合部２７）において、前面部２１の脇下部Ｂ１及び背面部２２の脇下部Ｂ２と共に縫合されている。また、内布３の上端部は、ストラップＳとの接続位置２１ａにおいて前面部２１に接合（本実施形態の例では縫着）されている。この内布３の周縁は、身頃部２の各端縁２５、２８と同様、端始末されていない切断端である。
【００５３】
以上の内布３は、前述のように前面部２１より面積が小さいため、前面部２１の上端縁（第一上端縁２８ａ、第二上端縁２８ｂ）及び下端縁２５ａからはみ出ない（突出しない）。即ち、内布３が身頃部２の前面部２１と重なって配置された状態において、縫合部２７で前面部２１及び背面部２２と共に縫合されている部位、及びストラップＳとの接続位置２１ａで前面部２１に縫着されている部位（縫着部）３ａを除いて、前面部２１の周縁の内側に内布３の周縁が位置するように、内布３が構成されている。
【００５４】
具体的には、内布３の上端縁における縫着部３ａ間の端縁３３は、前面部２１の第一上端縁２８ａより内側において該第一上端縁２８ａに沿って下方に凸となる円弧状に延びている（図８参照）。内布３の上端縁における縫着部３ａより身幅方向の外側の端縁３４のそれぞれは、前面部２１の第二上端縁２８ｂより内側において該第二上端縁２８ｂに沿って僅かに内側に凸となるように湾曲しつつ外側に向かって先下がりに傾斜している（図８参照）。また、内布３の下端縁３５は、前面部２１の下端縁２５ａより内側（本実施形態の例では、着衣時のアンダーバストの下部位置）において身幅方向に沿って延びている（図８参照）。
【００５５】
尚、本実施形態のインナーウエア１では、内布３の上端縁における身幅方向の両端部を除いた部位（端縁３３、及び身幅方向の外側端部を除いた端縁３４）は、背面部２２側から見たときに、背面部２２の上端縁２８ｃよりも上方側に位置している（図７参照）。
【００５６】
以上のように構成される内布３は、身幅方向における両端部及び両縫着部３ａ以外、身頃部２（前面部２１）と接合されていない。即ち、内布３は、身幅方向における両端部及び両縫着部３ａ以外、身頃部２（前面部２１）と別々に動くことができる。
【００５７】
当布４は、第一実施形態の当布４と同様の構成である。即ち、当布４は、内布３と重なる位置に配置された状態で該内布３に取り付けられ、当布４の輪郭は、パッド収容部４０に収容されるパッド５の輪郭と対応する形状である。また、当布４の面積は、内布３の面積より小さい。この当布４は、その周縁において側端縁４３を残して上端縁４１及び下端縁４２のみが内布３に接着によって接合され、これにより、内布３との間にパッド収容部４０を形成する。本実施形態の当布４は、内布３の内側（着用時に身体に近い側）に配置され、内布３と同じ生地によって構成されている。また、当布４の周縁は、端始末されていない切断端である。
【００５８】
当布４の側端縁４３のそれぞれは、身頃部２の縫合部（線状の縫合部）２７の近傍において該縫合部２７に沿って延びる。この当布４の側端縁４３の位置においてパッド収容部４０の開口部４５が形成されている（図９参照）。また、当布４の周縁（上端縁４１、下端縁４２、及び一対の側端縁４３のそれぞれ）は、内布３の各端縁３３、３４、３５の内側に位置する（図８参照）。
【００５９】
パッド５は、第一実施形態のパッド５と同様のいわゆるブラパッドであり、パッド収容部４０に取り出し可能に配置される。このパッド５は、身幅方向に延び、身幅方向の中央部（着用時に両乳房の間に位置する部位）が上下方向においてくびれ、幅狭となっている。
【００６０】
以上のインナーウエア１によれば、内側が透視できるような編目や織目等の大きな身頃部（本体生地）２と重なる位置に配置された内布（第一生地）３が該身頃部２より小さい（面積が小さい）。これにより、本実施形態のインナーウエア１においても、身頃部２において内側を透視させたくない部位（本実施形態の例では、胸部）を内布３によって隠しつつ、通気性を確保することもできる。
【００６１】
また、本実施形態のインナーウエア１においても、当布４が内布３との間にパッド収容部４０を形成し、該パッド収容部４０にパッド５が収容されている。このパッド５は、身幅方向における当布４の各側端縁４３に形成される開口部４５のいずれからも出し入れすることができる。
【００６２】
また、本実施形態のインナーウエア１においても、当布４の側端縁４３のそれぞれが、周囲の部位に比べてコシがある（周囲の部位に比べて固い）線状の縫合部２７の近傍において該縫合部２７に沿って延び、この側端縁４３に沿って開口部４５が開口している。このため、縫合部２７によって開口部４５の開口形状が保たれ、これにより、パッド５をパッド収容部４０に挿入する際に挿入し易い。
【００６３】
また、本実施形態のインナーウエア１においても、内布３と当布４とが、身頃部２の内側（着衣時に身体に近い側）に配置され、接着によって互いに接合されている。このため、縫い目（詳しくは、縫合によって周囲より固くなっている部位）が肌に当たったり擦れたりすることによる不快感が生じない。
【００６４】
次に、本発明の第三実施形態について図１１〜図１３を参照しつつ説明するが、上記第一及び第二実施形態と同様の構成には同一符号を用いて簡単に説明し、異なる構成については詳細に説明する。
【００６５】
本実施形態のインナーウエアは、図１１に示すような、いわゆるショーツである。このインナーウエア１は、図１２及び図１３にも示すように、身体を覆うショーツ本体（本体生地）６と、ショーツ本体６の内側に配置される内布（第一生地）３と、内布３に取り付けられる当布（第二生地）４と、を備える。
【００６６】
ショーツ本体６は、下腹部を覆う前面部６１と、臀部を覆う背面部６２と、股部６３と、を有する。このショーツ本体６は、前面部６１と背面部６２とが股部６３を介して繋がるような一枚の生地によって構成されている（図１２参照）。ショーツ本体６は、第一及び第二実施形態の身頃部２と同様、例えば、レース生地やメッシュ生地のような、内側を透視できる（編目や織目等の大きな）生地によって構成されている。
【００６７】
前面部６１の身幅方向の側端部６１ａと、背面部６２の身幅方向の側端部６２ａとがそれぞれ縫着（接合）されている。これにより、ショーツ本体６における胴部開口縁６４と、一対の脚部開口縁６５とが形成される。このショーツ本体６における胴部開口縁６４と、脚部開口縁６５とは、端始末されていない切断端である。各開口縁（胴部開口縁６４、脚部開口縁６５）では、外側に凸となる複数の円弧状の部位が連なっている。また、前面部６１の側端部６１ａと背面部６２の側端部６２ａとが縫着された部位（縫合部）６６は、身体の前面側のやや内側において上下方向に沿って延びている（図１１参照）。
【００６８】
内布３は、ショーツ本体６と重なる位置に配置された状態で該ショーツ本体６に取り付けられている。内布３は、内側を透視できない（編目や織目等の小さな）生地によって構成されている。内布３の面積は、ショーツ本体６の面積より小さい。本実施形態の内布３は、ショーツ本体６の内側（着衣時に身体に近い側）に配置されている。
【００６９】
具体的に、内布３は、前面部２１から股部６３にかけてショーツ本体６と重なる範囲に配置される。本実施形態の内布３は、前面部６１において身幅方向の一方の側端部６１ａから他方の側端部６１ａまで該前面部６１に沿って延び、身幅方向における内布３の各端部が、前面部６１と背面部６２との縫合部６６において、前面部６１の側端部６１ａ及び背面部６２の側端部６２ａと共に縫合されている。また、内布３は、前面部２１から股部６３にかけて延在する部位を有し、該部位の側端縁（詳しくは、脚部開口縁６５に沿って延びる側端縁）３６に沿ってショーツ本体６に縫着されている（図１２参照）。この内布３の周縁は、ショーツ本体６の各端縁６４、６５と同様、端始末されていない切断端である。
【００７０】
以上の内布３は、前述のようにショーツ本体６より面積が小さいため、ショーツ本体６の胴部開口縁６４及び各脚部開口縁６５からはみ出さない（突出しない）。即ち、内布３がショーツ本体６の前面部６１から股部６３にかけて重なって配置された状態において、縫合部６６で前面部６１及び背面部６２と共に縫合されている部位を除いて、ショーツ本体６の各端縁６４、６５の内側に内布３の周縁が位置するように、内布３が構成されている。
【００７１】
具体的には、内布３の前面部６１側の端縁３７は、前面部６１において胴部開口縁６４の一部を構成する端縁６４ａより内側において該端縁６４ａに沿って延びている（図１２参照）。内布３の脚部開口縁６５側の端縁３６は、ショーツ本体６の脚部開口縁６５の内側において該脚部開口縁６５に沿って延びている（図１２参照）。また、内布３の背面部６２側の端縁３８は、背面部６２において胴部開口縁６４の一部を構成する端縁６４ｂより内側において身幅方向（図１２における左右方向）に延びている。より詳しくは、内布３の端縁３８は、背面部６２と股部６３との境界又はその近傍において、身幅方向に延びている。
【００７２】
当布４は、内布３と重なる位置に配置された状態で該内布３に取り付けられる。この当布４は、内布３との間にパッド収容部４０を形成する（図１３参照）。この当布４の輪郭は、吸収パッドＰが収容可能な形状である。この当布４の面積は、内布３の面積より小さい。本実施形態の当布４は、内布３の内側（着衣時に身体に近い側）に配置され、吸収パッドＰの吸収対象が透過可能な生地（素材）によって構成されている。尚、本実施形態の吸収パッドＰは、インナーウエア１の構成要素ではない。
【００７３】
具体的に、当布４は、ショーツ本体６の股部６３に位置する内布３に沿った形状の周縁４６を有する。この当布４では、周縁４６における一部４６ａを除いた部位が内布３に接着によって接合されている。これにより、当布４と内布３との間に吸収パッドＰが収容可能な領域（パッド収容部）４０が形成される。当布４の周縁４６の一部４６ａが内布３に接合されていないことで、この位置に、パッド収容部４０が外部と連通する開口部４５が形成される（図１３参照）。この開口部４５から吸収パッドＰがパッド収容部４０へ出し入れされる。
【００７４】
以上のように構成される当布４の周縁４６は、内布３の各端縁３６、３７、３８の内側に位置する（図１２参照）。
【００７５】
以上のインナーウエア１によれば、内側が透視できるような編目や織目等の大きなショーツ本体（本体生地）６と重なる位置に配置された内布（第一生地）３が該ショーツ本体６より小さい（面積が小さい）。これにより、本実施形態のインナーウエア１では、ショーツ本体６において内側を透視させたくない部位（範囲）を内布３によって隠しつつ、通気性を確保することもできる。
【００７６】
また、本実施形態のインナーウエア１では、内布３と当布４とが、ショーツ本体６の内側（着衣時に身体に近い側）に配置され、接着によって互いに接合されている。このように、ショーツ本体６の内側に配置される内布３と当布４とを接着によって接合することで、内布３と当布４との接合箇所に縫い目が生じず、これにより、縫い目（詳しくは、縫合によって周囲より固くなっている部位）が肌に当たったり擦れたりすることによる不快感が生じない。
【００７７】
尚、本発明のインナーウエアは、上記実施形態に限定されるものではなく、本発明の要旨を逸脱しない範囲内において種々変更を加え得ることは勿論である。例えば、ある実施形態の構成に他の実施形態の構成を追加することができ、また、ある実施形態の構成の一部を他の実施形態の構成に置き換えることができる。さらに、ある実施形態の構成の一部を削除することができる。
【００７８】
上記第一〜第三実施形態のインナーウエア１では、内布（第一生地）３は、身頃部２又はショーツ本体６の内側（着衣時に身体に近い側）に配置されているが、この構成に限定されない。内布３は、身頃部２又はショーツ本体６の外側（着衣時に身体から遠い側）に配置されてもよい。かかる構成によっても、身頃部２又はショーツ本体６の面積より内布３の面積が小さければ、身頃部２又はショーツ本体６において内布３によって覆われていない部位（内布３からはみ出る部位）があるため、身頃部２又はショーツ本体６において内側を透視させたくない部位（範囲）を内布３によって隠しつつ、通気性を確保することができる。
【００７９】
また、上記第一及び第二実施形態のインナーウエア１では、内布３は、身頃部２に取り付けられて（縫着されて）いたが、この構成に限定されない。内布３は、ストラップＳ等の他の部材に取り付けられていてもよい。
【００８０】
また、上記第一及び第二実施形態のインナーウエア１では、当布４は、内布３の内側（着衣時に身体に近い側）に取り付けられていたが、この構成に限定されない。当布４は、内布３の外側（即ち、身頃部２と内布３との間）に配置されてもよい。
【００８１】
また、上記第一及び第二実施形態のインナーウエア１では、内布３は、胴回り方向において、前面部２１の一方の端縁（脇下部Ｂ１）から他方の端縁（脇下部Ｂ１）までの範囲に配置されているが、この構成に限定されない。内布３は、身頃部２の面積より内布３の面積が小さければ、胴回り方向において背面部２２の範囲に配置されてもよく、前面部２１と背面部２２とに跨る範囲に配置されていてもよい。
【００８２】
また、上記第一及び第二実施形態のインナーウエア１は、パッド５を備えているが、この構成に限定されない。パッド収容部４０に収容されるパッドは、第三実施形態の吸収パッドＰと同様、インナーウエア１の構成要素に含まれていなくてもよい。
【００８３】
また、上記第一及び第二実施形態のインナーウエア１では、パッド５が両乳房を覆う形状であるが、この構成に限定されない。パッド５は、片方の乳房のみを覆う構成でもよい。この場合、各乳房に対応する位置にパッド収容部４０がそれぞれ設けられ、これら二つのパッド収容部４０がそれぞれパッド５を収容してもよい。
【符号の説明】
【００８４】
１…インナーウエア、２…身頃部、２１…前面部、２１ａ…接続位置、２２…背面部、２３…襟ぐり（端縁）、２４…袖ぐり（端縁）、２３ａ、２３ｂ、２４ａ、２４ｂ…端縁、２５…下端開口縁（端縁）、２５ａ…前面部の下端縁、２５ｂ…背面部の下端縁、２６、２７…縫合部、２８…上端開口縁、２８ａ…第一上端縁、２８ｂ…第二上端縁、２８ｃ…背面部の上端縁、３…内布、３ａ…縫着部、３１…胸当部、３２…ストラップ部、３３、３３ａ、３３ｂ、３４、３４ａ、３４ｂ、３６、３７、３８…内布の端縁、３５…内布の下端縁、４…当布、４０…パッド収容部、４１…当布の上端縁、４２…当布の下端縁、４３…当布の側端縁、４５…開口部、４６…内布の周縁、４６ａ…内布の周縁の一部、５…パッド、６…ショーツ本体、６１…前面部、６１ａ…前面部の側端部、６２…背面部、６２ａ…背面部の側端部、６３…股部、６４…胴部開口縁（端縁）、６４ａ、６４ｂ…端縁、６５…脚部開口縁、６６…縫合部、５００…インナーウエア、５０１…前身頃、５０２…レース生地、５０３…透視防止用生地、Ａ…見頃部の肩部、Ａ１…前面部の肩部、Ａ２…背面部の肩部、Ｂ…身頃部の脇下部、Ｂ１…前面部の脇下部、Ｂ２…背面部の脇下部、Ｐ…吸収パッド、Ｓ…ストラップ
【図１】
2020007651.tif 000003
【図２】
2020007651.tif 000004
【図３】
2020007651.tif 000005
【図４】
2020007651.tif 000006
【図５】
2020007651.tif 000007
【図６】
2020007651.tif 000008
【図７】
2020007651.tif 000009
【図８】
2020007651.tif 000010
【図９】
2020007651.tif 000011
【図１０】
2020007651.tif 000012
【図１１】
2020007651.tif 000013
【図１２】
2020007651.tif 000014
【図１３】
2020007651.tif 000015
【図１４】
2020007651.tif 000016